(57)【要約】【課題】内容物を収容する収容部と、該収容部を覆う蓋部とが、ヒンジを介して開閉自在に形成されたカートンにおいて、蓋部を閉じるだけで、自動的に蓋部が収容部へとロック可能なロック機構を有する、カートンを提供する。【解決手段】内容物を収容する収容部と、該収容部を覆う蓋部とが、ヒンジを介して開閉自在に形成されたカートンであって、蓋部の正面が、収容部の正面を覆うようにして閉封するカートンにおいて、カートンの初期開封時、収容部に形成された切取線に囲まれ、少なくとも１の段部を有する掛止面が、蓋部の裏側部分に貼合された状態で切り離されることにより、蓋部の裏側に掛止面が形成されるとともに、収容部正面パネル上に段部を設けた切欠き部が形成され、カートンの閉封時、蓋部の掛止面の段部が、収容部の切欠き部の段部と互いに掛止し、蓋部を収容部へとロック自在となる。【選択図】図１
2010076820.tif 000002
【特許請求の範囲】
【請求項１】
内容物を収容する収容部と、該収容部を覆う蓋部とが、ヒンジを介して開閉自在に形成されたカートンであって、前記蓋部の正面が、前記収容部の正面を覆うようにして閉封するカートンにおいて、
前記カートンの初期開封時、前記収容部に形成された切取線に囲まれ、少なくとも１の段部を有する掛止面が、前記蓋部の裏側部分に貼合された状態で切り離されることにより、前記蓋部の裏側に掛止面が形成されるとともに、前記収容部正面パネル上に段部を設けた切欠き部が形成され、前記カートンの閉封時、前記蓋部の前記掛止面の段部が、前記収容部の前記切欠き部の段部と互いに掛止することにより、前記蓋部を前記収容部へとロック自在に形成したことを特徴とするカートン。
【請求項２】
前記掛止面は、該掛止面の下方部分を、前記蓋部へと貼合することを特徴とする、請求項１記載のカートン。
【請求項３】
前記掛止面は、該掛止面の略中央部分を、前記蓋部へと貼合することを特徴とする、請求項１乃至２記載のカートン。
【請求項４】
前記掛止面の前記段部の基端部分に、切り込みを形成したことを特徴とする、請求項１乃至３記載のカートン。
【発明の詳細な説明】
【技術分野】
【０００１】
本発明は、内容物を収容する収容部と、該収容部を覆う蓋部とが、ヒンジを介して開閉自在に形成されたカートンであって、前記蓋部の正面が、前記収容部の正面を覆うようにして閉封するカートンに関し、蓋部を収容部へとロック自在に構成したカートンに関する。
【背景技術】
【０００２】
従来より、内容物を収容する収容部と、該収容部を覆う蓋部とが、ヒンジを介して開閉自在に形成されたカートンがある。このような、カートンは、蓋部と収容部とをロックした際に、蓋部の正面パネルが、収容部の正面パネルを覆うようにして閉封する構成である。
【０００３】
このようなカートンの、蓋部を収容部へとロックする構成の一例としては、図４０（ａ）に示すように、蓋部２の先端に形成された舌片Ｚを、収容部３に形成された溝Ｖへと挿入することにより、図４０（ｂ）に示すように、蓋部２を収容部３へとロックする構成や、図４１（ａ）に示すように、蓋部２を、収容部３の二重内面３Ｂへと係合することにより、図４１（ｂ）に示すように、蓋部２を収容部３へとロックする構成や、さらには、図４２（ａ）に示すように、蓋部２の内側に形成された段差部ｄと、収容部３の外側に形成された掛止片ｈとが、互いに掛止することにより、図４２（ｂ）に示すように、蓋部２を収容部３へとロックする構成など、多種多彩なロック構成を有するカートンがある。
【０００４】
しかしながら、図４０に示すような、蓋部の舌片Ｚを、収容部３の溝Ｖへと挿入してロックするカートン１は、蓋部２を収容部３へとロックする際に、舌片Ｚを溝Ｖへと差し込む必要があり、カートン開封時に、溝Ｖから舌片Ｚを取り外す必要があるため、ロック操作や開封操作に手間がかかるという欠点がある。
また、図４１に示すような、蓋部２を、収容部３の二重内面３Ｂへと係合してロックするカートン１は、収容部３の内側に二重内面３Ｂを形成する必要があるため、カートン１の製造コストが高く手間がかかるという難点がある。
【０００５】
特に、図４２に示すような、蓋部２の内側に形成された段差部ｄと、収容部３の外側に形成された掛止片ｈとが、互いに掛止してロックするカートン１は、収容部３の外側に掛止片ｈが形成されており、カートン１の製造に手間がかかるばかりでなく、蓋部２をロックした際に、蓋部２の正面パネルと収容部３の正面パネルとの間に隙間が生じてしまい、ロックが不十分なばかりでなく、蓋部２がきちんと閉封できないといった問題があった。
【０００６】
このため、収容部の前面パネルに連設された掛止片がカートンの度重なる使用に耐えることができず、ロックした蓋部が容易に開封しやすくなってしてしまい、突然カートンの蓋部が開封して内容物が飛び出してしまう等の恐れがある。
【発明の開示】
【発明が解決しようとする課題】
【０００７】
本発明は、このような問題点を解決するためになされたものであり、従来のように、舌片を溝へと差し込む等、ロックに手間を生じることなく、蓋部を閉じるだけで自動的に収容部へとロックされる構成を有し、また、従来の、係止片を収容部の外側に形成する構成を見直して、ロックに伴い蓋部と収容部との正面パネル間に隙間が生じることなく、強固にロックすることが可能なカートンを提供する。また、１枚のブランクから低コストでカートンを形成可能とすることを課題とし、さらには、ロック機構に種々工夫を講じることにより、蓋部を収容部へと良好にロックすることが可能なカートンを提供することを課題とする。
【課題を解決するための手段】
【０００８】
そこで、これらの課題を解決するため、本発明の請求項１記載の発明は、内容物を収容する収容部と、該収容部を覆う蓋部とが、ヒンジを介して開閉自在に形成されたカートンであって、前記蓋部の正面が、前記収容部の正面を覆うようにして閉封するカートンにおいて、前記カートンの初期開封時、前記収容部に形成された切取線に囲まれ、少なくとも１の段部を有する掛止面が、前記蓋部の裏側部分に貼合された状態で切り離されることにより、前記蓋部の裏側に掛止面が形成されるとともに、前記収容部正面パネル上に段部を設けた切欠き部が形成され、前記カートンの閉封時、前記蓋部の前記掛止面の段部が、前記収容部の前記切欠き部の段部と互いに掛止することにより、前記蓋部を前記収容部へとロック自在に形成したことを特徴とするカートンである。
【０００９】
また、請求項２記載の発明は、前記掛止面は、該掛止面の下方部分を、前記蓋部へと貼合することを特徴とする、カートンである。
【００１０】
また、請求項３記載の発明は、前記掛止面は、該掛止面の略中央部分を、前記蓋部へと貼合することを特徴とする、カートンである。
【００１１】
また、請求項４記載の発明は、前記掛止面の前記段部の基端部分に、切り込みを形成したことを特徴とする、カートンである。
【発明の効果】
【００１２】
本発明の請求項１記載の発明は、内容物を収容する収容部と、該収容部を覆う蓋部とが、ヒンジを介して開閉自在に形成されたカートンであって、前記蓋部の正面が、前記収容部の正面を覆うようにして閉封するカートンにおいて、前記カートンの初期開封時、前記収容部に形成された切取線に囲まれ、少なくとも１の段部を有する掛止面が、前記蓋部の裏側部分に貼合された状態で切り離されることにより、前記蓋部の裏側に掛止面が形成されるとともに、前記収容部正面パネル上に段部を設けた切欠き部が形成され、前記カートンの閉封時、前記蓋部の前記掛止面の段部が、前記収容部の前記切欠き部の段部と互いに掛止することにより、前記蓋部を前記収容部へとロック自在に形成したことを特徴とするから、
蓋部を閉じるだけで収容部へとロックすることが可能であり、蓋部をロックした際に、蓋部と収容部との正面パネル間に隙間が生じることなく、蓋部を良好にロックすることが可能である。さらには、蓋部のロックに伴い、収容部の段部が蓋部の内側へと当接して、カチッというロック音を発するため、カートンのロックが行なわれたことを認識することが可能である。
【００１３】
また、請求項２記載の発明は、前記掛止面は、該掛止面の下方部分を、前記蓋部へと貼合することを特徴とするから、蓋部の初期開封時において、蓋部の開封に伴い、蓋部の裏面に掛止面が貼合されつつ収容部から切り取られるとともに、段部を有する掛止面の上方部分が、僅かに折れ曲ることとなる。よって、蓋部をロックした際に、掛止面の段部と収容部の段部とが互いにクロスしつつ掛止することとなり、蓋部を収容部へと強固にロックすることが可能である。また、蓋部の開封時においても、収容部の段部が掛止面の段部の内側をスライドして、簡単に蓋部のロックを解除することが可能である。
【００１４】
また、請求項３記載の発明は、前記掛止面は、該掛止面の略中央部分を、前記蓋部へと貼合することを特徴とするから、蓋部の初期開封時において、蓋部の開封に伴い、蓋部の裏面に掛止面が貼合されつつ収容部から切り取られるとともに、掛止面の左右に形成された段部が僅かに折れ曲ることとなる。よって、蓋部をロックした際に、掛止面の段部と収容部の段部とが互いにクロスしつつ掛止することとなり、蓋部を収容部へと強固にロックすることが可能である。また、蓋部の開封時においても、収容部の段部が掛止面の段部の内側をスライドして、簡単に蓋部のロックを解除することが可能である。
【００１５】
また、請求項４記載の発明は、前記掛止面の前記段部の基端部分に、切り込みを形成したことを特徴とするから、蓋部の初期開封時において、蓋部の開封に伴い、蓋部の裏面に掛止面が貼合されつつ収容部から切り取られるとともに、掛止面の段部が切り込みに沿って折れ曲ることとなる。よって、蓋部をロックした際に、掛止面の段部と収容部の段部とが互いにクロスしつつ掛止することとなり、蓋部を収容部へと強固にロックすることが可能である。また、蓋部の開封時においても、収容部の段部が掛止面の段部の内側をスライドして、簡単に蓋部のロックを解除することが可能である。
【発明を実施するための最良の形態】
【００１６】
本発明に係るカートン１の一例としては、図１に示すように、収容部３と、該収容部３とがヒンジ部分Ｈを介して回動自在に形成されるとともに、前記蓋部の正面パネル（正面）が、前記収容部３の正面パネル（正面）を覆うようにして閉封する、カートン１である。
【００１７】
特に、カートン１の購入直後の初期開封時、前記蓋部２を持ち上げることにより、図１（ａ）に示すように、収容部３の正面パネル３１に形成された切取線９に沿って、該切取線９に囲まれた面７（掛止面７）が、前記蓋部２の正面パネルの裏側に貼合された状態で切り離されることにより、前記蓋部２の内側に掛止面７を形成することが可能である。
【００１８】
そして、再び蓋部２を閉じると、図１（ｂ）に示すように、前記掛止面７に形成された段部分（段部７'、７'）が、前記収容部３の前記切欠き部８の段部分（段部８'、８'）へと掛止して、蓋部２を簡単にロックすることが可能である。
【００１９】
このように、蓋部２が収容部３へと自動的にロックされる構成であるから、従来のように、蓋部２の舌片等を収容部３の係合溝等へとロックするための手間が生じることなく、自然な開閉操作でもってカートン１の蓋部２を簡単にロックすることが可能である。
また、従来構成の、掛止片を収容部の外側に形成することないため、蓋部と収容部との正面パネル間に隙間が生じてロックが不十分になってしまうようなことがない。
【００２０】
以下に、本発明のカートン１の構成および蓋部２をロックする構成について説明する。
まず、本発明のカートン１のブランクについて説明する。
【００２１】
本発明のカートン１のブランクの一例としては、図２に示すように、収容部３と蓋部２とが、ヒンジ部Ｈを介して連設された１枚のブランクからなり、前記収容部３は、（左から）左側面３２、正面３１、右側面３３、背面３４、貼合面３６を有し、さらに各面（３２、３１、３３、３４）からは、下方へと底面３５およびフラップＦが連設されている。
【００２２】
他方、前記蓋部２は、（上から）正面２１、天面２５を有し、さらに各面（２１、２５）からは、左右へと左面２２、右面２３、およびフラップＦが連設されている。
それぞれの面は、折り線（点線部分）を介して連設されており、前記蓋部２の天面２５と、前記収容部３の背面３４と、を連設する折り線部分が、蓋部２のヒンジ部分Ｈとなる。
【００２３】
特に、収容部３の正面パネル３１には、該正面３１の上辺を含む箇所に、略凸形状からなる切取線９が形成されており、後述する（図６の説明）、カートンを組み立てる際に、前記切取線９で囲まれた面７（掛止面７）を、蓋部２の正面２１の裏側部分へと、貼り合せることにより、蓋部２の初期開封に伴い、蓋部２の裏側部分に掛止面７を形成することが可能である。
他方、収容部３から掛止面７が切り取られることにより、収容部３の正面パネル３１に掛止面７と同形状からなる切欠き部分８が形成されることとなる。
【００２４】
よって、後述する（図７〜図９の説明）蓋部２を閉じると、蓋部２の掛止面７と、収容部３の切欠き部８とが、互いに組み合わされるとともに掛止して、前記蓋部２を前記収容部３へとロックすることが可能である。
【００２５】
次に、上記ブランクから、本発明のカートン１を組み立てる方法の一例について説明する。
まず、図３（ａ）に示すような、前記ブランクから、図３（ｂ）に示すように、収容部３の左面３２、正面３１をそれぞれ折り線に沿って折込み、図４（ａ）に示すように、さらに右面３３と貼合面３６とを折込み貼合せて、スリーブ状（筒状）の収容部３を形成する。このとき、スリーブ状の収容部３の、天面若しくは底面部分から、内容物を充填してもよい。
【００２６】
次に、図４（ｂ）に示すように、収容部３の底面３５およびフラップＦを内方へと折込み、他方、蓋部２の天面２５をヒンジ部Ｈに沿って手前方へと折込むとともに、天面２５の左右に連設されたフラップＦをそれぞれ内方へと折り込む。
【００２７】
そして、図５（ａ）に示すように、収容部３の底面３５とフラップＦとをそれぞれ貼り合せて底部分を形成するとともに、蓋部２の左面２２および右面２３とフラップＦとをそれぞれ貼り合せて蓋部２を形成する。
【００２８】
特に、収容部３の正面３１に形成された切取線９に囲まれた掛止面７と蓋部２の正面２１の裏側部分とを、それぞれ貼合わせて（図中ハッチング部分）、図５（ｂ）に示すように、カートン１を形成する。
【００２９】
このようにして形成されたカートン１は、図６（ａ）に示すように、前記蓋部２を初期開封すると、収容部３の掛止面７と、蓋部２の正面２１の裏側部分と、が互いに貼り合わされた状態から、切取線９に沿って掛止面７が切り離されることとなる。
よって、蓋部２の開封に伴い、図６（ｂ）に示すように、蓋部２の裏側部分に掛止面７を形成することが可能である。
【００３０】
特に、前記掛止面７の全体形状が略凸形状をなしており、このため、掛止面７の下方両端部分には、左右へと凸形状の段部７'が形成されている。
このため、掛止面７を切り取った後の収容部３の正面３１には、凸形状からなる切欠き部８が形成されるとともに、切欠き部８の上方両端部分には、凸形状の段部８'がそれぞれ形成されることとなる。
【００３１】
よって、後述する（図８説明部分）、蓋部２をロックする際に、蓋部２の前記段部７'と収容部３の前記段部８'との断面部分が互いに掛止して、蓋部２を収容部３へとロックすることが可能である。
また、蓋部のロック時において、それぞれの段部７'、８'が掛止する際に、収容部３の段部８'が、蓋部２の正面２１の裏側部分へと勢いよく当接して、カチッというロック音を発するため、蓋部２がロックしたことを認識することが可能である。
【００３２】
次に、蓋部２を収容部３へとロックする構成（ロック機構）について、さらに詳しく説明する。
【００３３】
まず、図７に示すように、蓋部２を開封した状態においては、蓋部２の裏側部分に掛止面７が形成されており、他方、収容部３の正面パネル３１には切欠き部８が形成されている。
そして、蓋部２の掛止面７には、その両端部分に凸形状の段部７'を有しており、他方、収容部の切欠き部８には、その両端部分に凸形状の段部８'を有している。
【００３４】
よって、この状態から蓋部２を閉じると、図８に示すように、蓋部２の掛止面７と、収容部３の切欠き部８とが組み合わされることにより、掛止面７の段部７'の断面部分が切欠き部８の段部８'の断面部分へと下方より当接するとともに蓋部２の上方への移動を阻止して、蓋部２を収容部３へとロックすることが可能である。
【００３５】
また、蓋部２を収容部３へとロックした際に、収容部３の段部８'がはじかれて蓋部２の裏面へと当接するため、カチッという音（ロック音）を発することが可能であり、カートン１がロックされたことを認識することが可能である。
【００３６】
再び、蓋部２を開封する際には、図９に示すように、蓋部２を持ち上げることにより、掛止面７の段部７'と収容部３の段部８' とが互いにずれるとともに掛止が解除されて、蓋部２を開封することが可能である。
【００３７】
このように、本発明のカートン１は、前記カートン１の初期開封時、前記収容部３に形成された切取線９に囲まれた掛止面７が、前記蓋部２の裏側部分に貼合された状態で切り離されることにより、前記蓋部２の裏側に掛止面７が形成されるとともに前記収容部３に切欠き部８が形成されて、前記カートンの閉封時、前記蓋部２の前記掛止面７が、前記収容部３の前記切欠き部８へと組み合わされてロックすることが可能である。
【００３８】
特に、前記カートン１の初期開封とともに切り離される前記掛止面７は、凸形状からなる段部７'を有する掛止面７であって、該掛止面７の前記段部７'が、前記収容部３の段部８'へと掛止することにより、前記蓋部２を前記収容部３へと強固にロックすることが可能である。さらには、蓋部のロックに伴いロック音を発するため、使用者は蓋部がロックしたことを認識することが可能である。
【００３９】
本発明のカートン１は、上記構成に限らず、様々な形状からなるブランクからカートンを形成することが可能であり、また、上記ロック機構も、様々な工夫を講じることにより、さらにロック性能を向上したカートンを形成することが可能である。
【００４０】
また、カートン製造時、内容物をカートンへと充填する方法は、上記例に限らず、内容物をブランクの折り貼り工程において包む方法（ラップアラウンド）であってもよく、何れにせよ、内容物の充填方法は上記例に限定されるものではない。
【００４１】
以下に、本発明のカートン１の一例を示す実施例１〜実施例６について説明する。
【実施例１】
【００４２】
本発明のカートン１の別の例としては、例えば、図１０に示すように、収容部３と蓋部２とが縦一列に連設されたブランクにより形成されるカートン１であってもよく、この場合、（上から）収容部３の正面３１と底面３５と背面３４とが縦一列にそれぞれ連設されるとともに、収容部３の各面（３１、３５、３４）の左右より左面３２および右面３３とフラップＦとが連設されている。
【００４３】
そして、収容部３の前記背面３４より、さらに下方へと蓋部２の天面２５と、正面２１とが縦一列に連設されるとともに、蓋部２の各面（２５、２１）の左右より左面２２及び右面２３と、フラップＦとが連設されている。
【００４４】
特に、前記収容部の正面パネル３１には、切取線９に沿って略凸形状からなる掛止面７が形成されており、後述する（図１４の説明）、カートン１の組立て時において、蓋部２の正面２１の裏側部分へと前記掛止面７を貼り合せることにより、蓋部２に掛止面７を形成することが可能である。
【００４５】
そして、このようなブランクから、図１１（ａ）（ｂ）に示すように、収容部３の背面３４と正面３１とを折り線に沿って折込むとともに、図１２（ａ）に示すように、収容部３の各フラップＦと、左面３２および右面３３と、を折り込み貼り合せて、図１２（ｂ）に示すように、箱形状の収容部３を形成する。
このとき、内容物を箱形状の収容部３へと充填してもよく、他方、内容物を包むようにして収容部３の各面を折り込むことにより、内容物を充填してもよい。
【００４６】
そして、蓋部２の天面２５のフラップＦをそれぞれ内側へと折込むとともに、蓋部２の天面２５と正面２１とを前方へと折り込み、さらに、図１３（ａ）に示すように、蓋部２の左面２２および右面２３を折り込むとともに、天面２５に連設する左右のフラップＦへと貼り合せて、図１３（ｂ）に示すように、蓋部２を形成する。
【００４７】
特に、収容部３の掛止面７と、蓋部２の正面２１の裏側部分と、に糊付けを施して貼り合せる際に、掛止面７の段部７'より上方部分にのみ糊付けを施して、蓋部２の裏側へと掛止面７を貼り合わせることにより（図中ハッチング部分）、図１４（ａ）に示すように、カートン１を形成する。
【００４８】
そして、このようなカートン１の初期開封時、蓋部２の開封に伴い、蓋部２の内側に貼合された状態の収容部３の正面３１の一部が切取線９に沿って切り取られるとともに、図１４（ｂ）に示すように、蓋部２の内側に前記掛止面７を形成することが可能である。
【００４９】
特に、前記掛止面７の段部７'より上方部分にのみ糊付けを施して、蓋部２へと貼り合せることにより、図１５に示すように、掛止面７の左右の段部７'が手前方へと折れ曲がることとなり（段部７'点線表示部分）、収容部３の段部８'とクロスして掛止するため、蓋部２を収容部３へと強固に掛止することが可能である。
【００５０】
さらに、この状態から蓋部２を開封すると、図１６に示すように、掛止面７の段部７'が、収容部３の段部８'の内側へと入り込むとともに、蓋部２の段部７'が、収容部３の段部８'とクロスして、図１７に示すように、蓋部２の段部７'が、収容部３の段部８'の内側を通過して、蓋部２を開封することが可能である。
【００５１】
すなわち、前記掛止面７の段部７'より上方部分を、蓋部２へと貼り合せることにより、掛止面７の左右の段部７'が、蓋部の裏側部分から僅かに離れた状態となる。
よって、この隙間から、蓋部の段部７'が収容部３の段部８'の内側へと入り込むことが可能であり、蓋部２の段部７'と収容部３の段部８'とが、互いにクロスして、蓋部２の段部７'が、収容部３の段部８'の内側を通過しつつロックを解除することが可能である。
【００５２】
このように、蓋部の段部７'と収容部３の段部８'とを互いにクロスさせて、蓋部２を収容部３へと強固にロックする構成は、これらに限らず、例えば、下記に示す実施例２〜実施例６に示すような構成であってもよい。
そして、各種ブランクの形状に合わせて、掛止面７の段部７'や、収容部３の段部８'に種々工夫を講じることにより、カートン１のロック性能をさらに向上することが可能である。
【実施例２】
【００５３】
次に、本発明のカートン１のさらに別の例としては、図１８に示すように、ブランクを水平に横切る切取線９を介して、上方に蓋部２、下方に収容部３がそれぞれ形成されるカートン１であってもよい。
【００５４】
この場合、ブランクに（左から）、貼合面３６と、左面３２と、正面３１と、右面３３と、背面３４とが、それぞれ折り線を介して連設されている。
特に、ヒンジ部分Ｈを折罫とし、該ヒンジ部Ｈの延長上かつ水平方向に切取線９が形成されている。このため、後述する（図２２の説明）、切取線９より上方が蓋部２を形成し、切取線９より下方が収容部３を形成することとなる。
【００５５】
前記収容部３の正面３１には、下方へと底面３５が連設されており、前記正面３１に連設する左面３２および右面３３からは、下方へとフラップＦが連設されている。
他方、蓋部２の天面２５には、上方へと正面２１が連設されており、さらに該正面２１からは左面２２および右面２３が連設されている。また、前記ヒンジ部分の上方には、蓋部２の背面２４が形成されている。
【００５６】
特に、前記収容部３の正面３１と接する、左面３２および右面３３との縦方向の折り線には、掛止面７の段部８'となる部分の水平延長上に、折り線を設けない連続面Ｒが形成されている。
これにより、カートンのロック時、後述する（図２３の説明）、収容部３の段部８'が手前方へと開いた状態とし、蓋部の段部７'と収容部３の段部８'とを互いにクロスさせて、蓋部２を収容部３へと強固にロックすることが可能である。
【００５７】
そして、このようなブランクから、図１９（ａ）（ｂ）に示すように、左面３２および右面３３とを折込み、さらに背面３４を折り込んで、貼合面３６と貼り合せることにより、図２０（ａ）に示すように、スリーブ状の収容部３を形成するとともに、図２０（ｂ）に示すように、さらに、左面３２および右面３３より連設するフラップＦを内側へと折込み、天面２５および底面３５を、それぞれ内側へと折り込むことにより、図２１（ａ）に示すように、容器状の収容部３を形成する。このとき、前記各面を折込み貼り合せる工程において、内容物を包むようにして充填してもよい（ラップアラウンド）。
【００５８】
そして、図２１（ｂ）に示すように、蓋部２の天面２５と正面２１とを手前側へと折り込むとともに、正面２１および左面２２と右面２３を内側へと折込み、収容部３の正面３１および左面３２と右面３３へと貼り合せることにより（図中ハッチング部分）、図２２（ａ）に示すように、カートン１を形成する。
【００５９】
そして、このようなカートン１の初期開封時、蓋部２を持ち上げることにより、各面に水平方向へと形成された切取線９が破断して、図２２（ｂ）に示すように、蓋部２が形成されるとともに、蓋部２の内側に掛止面７を形成することが可能である。
特に、このカートン１は、収容部３の正面３１と接する、左面３２および右面３３との折り線が、掛止面の段部８'の延長線上に、折り線を設けない連続面Ｒを有しており、このため、収容部３の段部８'が僅かに手前方（図中点線矢印方向）へと開いた状態を維持している。
【００６０】
よって、図２３に示すように、蓋部２の閉封時において、手前方へと開いた収容部３の段部８'と、掛止面７の段部７'とが互いにクロスした状態で当接するため、蓋部２を収容部３へと強固にロックすることが可能である。
【００６１】
他方、カートン１開封時において、図２４に示すように、蓋部２の掛止面７の段部７'と、手前方へと開いた収容部３の段部８'とが、互いにクロスして、蓋部２の段部７'が、収容部３の段部８'の内側を通過しつつロックを解除することが可能である。
【００６２】
このように、特に、前記収容部３の正面３１と接する、左面３２および右面３３との縦方向の折り線の、掛止面７の段部８'となる部分の水平延長上に、折り線を設けない連続面Ｒを形成することにより、カートンのロック時、収容部３の段部８'が手前方へと開いた状態とし、蓋部の段部７'と収容部３の段部８'とを互いにクロスさせて、蓋部２を収容部３へと強固にロックすることが可能である。
【実施例３】
【００６３】
次に、本発明のカートン１の、ロック性能を向上したさらに別の例としては、図２５に示すように、ブランクの収容部３の正面３１に、掛止面７を形成するための切取線９を形成するとともに、該掛止面７の左右の段部７'の基端部分に、斜め下方へと傾いた形状からなる切り込み６を形成する。さらには、掛止面７の段部７'を形作る切取線９部分に、切取線９を設けないつなぎ部分Ｐを形成する。
【００６４】
これにより、後述する、蓋部２の開封に伴い、つなぎ部分Ｐが掛止面７の段部７'を引っぱるため、掛止面の段部７'を奥方へと折り曲げるとともに、収容部の段部８'を手前方へと折り曲げることが可能である。
さらには、掛止面７の段部７'が切り込み６に沿って大きく折れ曲るため、蓋部２のロック時、収容部３の段部８'と掛止面７の段部７'とが大きくクロスして掛止しやすくなり、蓋部２を収容部３へとさらに強固にロックすることが可能である。
【００６５】
この場合、図２６（ａ）に示すように、前記ブランクから収容部３を形成した後、蓋部２の天面２５と正面２１とを折込み、蓋部２の正面２１と収容部３の掛止面７とを貼り合せて（図中ハッチング部分）、カートン１を形成する。
【００６６】
特に、図２６（ｂ）に示すように、蓋部２の正面２１と収容部３の掛止面７とを貼り合せる際に、掛止面７の略中央部分にのみ糊付けを施して、掛止面７の左右部分に糊付けをしないことにより、後述する（図２７の説明）、掛止面の段部７'が手前方へと折れ曲りやすくなる効果がある。
【００６７】
そして、このようなカートン１から蓋部を開封すると、図２７に示すように、掛止面７の段部７'と収容部３の正面パネル３１とをつなぐつなぎ部分Ｐにより、掛止面７の段部７'が蓋部２の開封に伴い引っ張られることとなる。
このとき、掛止面７の段部７'の基端部分に形成された切り込み６に沿って、段部７'が折れ曲がることとなり、さらに蓋部２を開封すると、つなぎ部分Ｐが破断して、図２８（ａ）に示すように、掛止面７の段部７'が奥方へと折れ曲がった状態、他方、収容部３の段部８'は手前方へと折れ曲がった状態となる。
【００６８】
よって、この状態から蓋部２を閉じると、図２８（ｂ）に示すように、段部７'、８'が互いにクロスしてロックすることとなり、蓋部２を収容部３へと強固にロックすることが可能である。
【００６９】
他方、蓋部２を持ち上げて開封すると、図２９（ａ）（ｂ）に示すように、蓋部２の掛止面７の段部７'が、収容部の段部８'の内側を通ってスライドしつつロックを解除して蓋部２を開封することが可能である。
【００７０】
このように、掛止面７の段部７'の基端部分に、斜め下方へと傾いた形状からなる切り込み６を形成し、さらには、掛止面７の段部７'の切取線９部分に、つなぎ部分Ｐを形成することにより、蓋部の開封に伴い、掛止面７の段部７'が奥方へと折れ曲がった状態、他方、収容部３の段部８'は手前方へと折れ曲がった状態とすることが可能である。
よって、蓋部２の段部７'と収容部の段部とが互いにクロスして掛止することにより、蓋部を強固にロックすることが可能である。
【００７１】
さらには、蓋部２の正面２１と収容部３の掛止面７とを貼り合せる際に、掛止面７の略中央部分にのみ糊付けを施して、掛止面７の左右部分に糊付けをしないことにより、掛止面の段部７'が手前方へと折れ曲りやすくなる効果がある。
【００７２】
次に、本発明のカートンは、上記例に限らず、多角形や円弧形状を有するカートンであってもよく、さらには、前記段部を手前方や奥方へと好適に折り曲げて、蓋部２を収容部３へと強固にロックする構成としてもよい。
【実施例４】
【００７３】
この場合の一例としては、六角形の側面パネルを有するカートンであってもよく、この場合のブランクは、図３０に示すように、正面パネル３１と接する、左正面３２および右正面３３と、さらに左正面３２および右正面３３からそれぞれ左後面３２'および右後面３３'を連設し、背面３４を連設する。
【００７４】
そして、背面３４の上下にそれぞれ天面２５および底面３５を連設し、前記天面２５に正面２１を連設する。そして、正面３１と左正面３２および右正面３３と、左後面３２'および右後面３３'と、の上下にそれぞれフラップＦを形成する。
【００７５】
そして、図３１（ａ）に示すように、このようなブランクから立体形状のカートン１を形成する場合、図３１（ｂ）に示すように、収容部３の各側面（３１、３２、３２'、３３、３３'、３４）を略六角形状に折り込み、貼合面３６で貼り合せて、六角形状のスリーブを形成する。
【００７６】
そして、図３２（ａ）に示すように、蓋部２のフラップＦと天面２５および正面２１を折込み貼り合せるとともに、底部分の各フラップＦと底面３５を折込み貼り合せることにより、図３２（ｂ）に示すように、六角形の側面パネル（３１、３２、３２'、３３、３３'、３４）を有する多角形状のカートン１を形成することが可能である。このとき、内容物を前記筒状の収容部へと充填してもよく、他方、内容物を包むようにしてカートンを組み立ててもよい。
【００７７】
そして、このような多角形状を有するカートン１を初期開封すると、図３３（ａ）に示すように、収容部３の正面パネル３１と、左正面３２および右正面３３とが、それぞれ鈍角の角度をもって接しているため、正面３１に形成された段部８'が、手前方（図中点線矢印方向）へと開き、図３３（ｂ）に示すように、掛止面７の段部７'が、手前方へと開いた収容部３の段部８'へと、クロスして掛止するため、蓋部２を強固かつ確実にロックすることが可能である。
【実施例５】
【００７８】
また、カートン１の収容部３は、円弧コーナーを有する収容部３であってもよくさらには、収容部３の正面にジッパ４０を形成し、また収容部３の正面３１を、外正面３１と内正面３１'との二重内面を有する構造として、内正面３１'に前記掛止面７を形成してもよい。
【００７９】
この場合、図３４に示すような、１枚のブランクから、図３５に示すように、二重内面の内正面パネル３１'の左右に円弧コーナーＱを有するカートン１を形成することが可能である。そして、図３５（ａ）に示すように、収容部３のジッパ４０を切除して、カートン１を初期開封すると、収容部３の内正面３１'に切欠き部８が形成されるとともに、蓋部２の内側に掛止面７が形成される。
【００８０】
特に、図３５（ｂ）に示すように、掛止面７の段部７'および切欠き部８の段部８'が、それぞれ円弧コーナーＱに沿って湾曲面を形成しており、それぞれの段部７'、８'が互いにクロスして掛止するため、蓋部２を収容部３へと強固にロックすることが可能である。
【００８１】
このように、カートン１の形状を多角形とすることにより、段部８'を手前方へと開く構成であってもよく、また、カートン１の形状は多角形に限らず、円弧部分Ｑを有するカートン構成により、段部７'、８'をクロスさせる構成としてもよい。
【実施例６】
【００８２】
また、本発明のカートン１は、図３６（ａ）に示すように、収容部３の正面にスリット等からなる係合溝Ｍを形成するとともに、蓋部２の正面に係合片Ｔを形成して、図３６（ｂ）に示すように、これら係合溝Ｍおよび係合片Ｔを互いに係合してもよく、蓋部２を収容部３へとさらに確実にロックすることが可能である。
【００８３】
以上のように、本発明のカートン１は、収容部３に形成された切取線９に囲まれた掛止面７が、前記蓋部２の裏側部分に貼合された状態で切り離されることにより、前記蓋部２の裏側に掛止面７が形成されるとともに前記収容部３に切欠き部８が形成されて、前記カートン１の閉封時、前記蓋部２の前記掛止面７が、前記収容部３の前記切欠き部８へと組み合わされてロックすることが可能である。
【００８４】
そして、前記カートン１の初期開封とともに切り離される前記掛止面７は、少なくともカートン１の段部７'を有し、該段部７'と、蓋部２の初期開封に伴い形成される前記切欠き部８の段部８'とが、互いに掛止することによりロックすることが可能である。
【００８５】
さらには、前記掛止面７の下方部分を、前記蓋部２へと貼合する構成や、前記掛止面７の略中央部分を、前記蓋部２へと貼合する構成や、前記掛止面７の前記段部７'の基端部分に、切り込み６を形成する構成や、さらには、前記収容部３の前記段部８'の延長上に、罫線を設けない連続面Ｒを形成する構成や、前記掛止面７の前記段部７'を形成するための前記切取線９に、つなぎ部分Ｐを形成する構成により、蓋部２の段部７'と収容部３の段部８'とが、互いにクロスした状態で掛止して、蓋部２をより強固にロックすることが可能である。
【００８６】
前記段部７'、８'の形状は、上記例に限られることなく、蓋部２の段部７'と収容部３の段部８'とが互いに掛止可能な形状を有する段部７'、８'であれば、段部７'、８'の形状は特に限定されるものではない。
【００８７】
例えば、図３７に示すように、蓋部２の裏側部分に形成された掛止面の段部７'、および、該掛止面７が収容部３から切り取られることにより生じる、収容部３の正面パネル３１に形成された切欠き部８の段部８'は、それぞれ略円弧形状を有する段部７'、８'であってもよい。
【００８８】
特に、図３７（ｂ）に示すように、それぞれの段部７’、８'が接する、接触箇所Ｘの角度θは、略円弧形状を有する段部７'、８'とした場合、前記角度θはθ＝−２０°である。また、図３８（ａ）に示すように、段部８'の底辺が上方へと食い込んだ形状の段部であってもよく、例えば水平線０を基準角度とした場合、前記接触角度θは、θ＝−１５°であり、他方、図３８（ｂ）に示すように、段部の底辺が下方へとなだらかな斜面を有する段部とした場合、前記接触角度θは、θ＝＋３５°である。
【００８９】
よって、前記接触角度θは概ねθ＝±４５°であることが望ましく、これ以外の接触角度θでは、接触角度θが大きすぎると、段部７'、８'が掛止することなく滑ってしまい、蓋部２をロックすることが困難となる。他方、前記接触角度θが小さすぎると、段部７'、８'の掛止が外れにくくなるため、蓋部２の開封が困難となってしまう。
【００９０】
前記掛止面７の段部７'は、少なくとも１の段部７'を有することが望ましく、例えば、図３９（ａ）に示すように、掛止面７の片側１箇所にのみ、前記段部７'を形成してもよい。そして、この場合も、図３９（ｂ）に示すように、蓋部２をロックすることが可能である。
【００９１】
以上のように、本発明のカートン１は、内容物を収容する収容部３と、該収容部３を覆う蓋部２とが、ヒンジＨを介して開閉自在に形成されたカートン１であって、前記蓋部２の正面２１が、前記収容部３の正面３１を覆うようにして閉封するカートン１において、前記カートン１の初期開封時、前記収容部３に形成された切取線９に囲まれた掛止面７が、前記蓋部２の裏側部分に貼合された状態で切り離されることにより、前記蓋部２の裏側に掛止面７が形成されるとともに前記収容部３に切欠き部８が形成され、前記カートン１の閉封時、前記蓋部２の前記掛止面７が、前記収容部３の前記切欠き部８へと組み合わされてロックすることを特徴とする簡単な構成により、蓋部２を閉じるだけで収容部３へとロックすることが可能であり、蓋部２をロックした際に、蓋部２と収容部３との正面パネル３１間に隙間が生じることなく、蓋部２を強固かつ良好にロックすることが可能なカートン１を提供することが可能である。
【図面の簡単な説明】
【００９２】
【図１】本発明のカートンの一例を示す図である。  （ａ）開封後のカートンを示す説明図である。  （ｂ）閉封時のカートンを示す説明図である。
【図２】ブランクの一例を示す図である。
【図３】（ａ）（ｂ）カートン形成工程の一例を示す説明図である。
【図４】（ａ）（ｂ）カートン形成工程の一例を示す説明図である。
【図５】（ａ）（ｂ）カートン形成工程の一例を示す説明図である。
【図６】（ａ）（ｂ）カートンを示す説明図である。
【図７】カートンのロック機構を示す説明図である。
【図８】カートンのロック機構を示す説明図である。
【図９】カートンのロック機構を示す説明図である。
【図１０】ブランクの別の例を示す図である。
【図１１】（ａ）（ｂ）カートン形成工程の一例を示す説明図である。
【図１２】（ａ）（ｂ）カートン形成工程の一例を示す説明図である。
【図１３】（ａ）（ｂ）カートン形成工程の一例を示す説明図である。
【図１４】（ａ）（ｂ）カートンを示す説明図である。
【図１５】カートンのロック機構を示す説明図である。
【図１６】カートンのロック機構を示す説明図である。
【図１７】カートンのロック機構を示す説明図である。
【図１８】ブランクの別の例を示す図である。
【図１９】（ａ）（ｂ）カートン形成工程の一例を示す説明図である。
【図２０】（ａ）（ｂ）カートン形成工程の一例を示す説明図である。
【図２１】（ａ）（ｂ）カートン形成工程の一例を示す説明図である。
【図２２】（ａ）（ｂ）カートンを示す説明図である。
【図２３】カートンのロック機構を示す説明図である。
【図２４】カートンのロック機構を示す説明図である。
【図２５】ブランクの別の例を示す図である。
【図２６】（ａ）（ｂ）カートン形成工程の一例を示す説明図である。
【図２７】カートンの初期開封時を示す説明図である。
【図２８】（ａ）（ｂ）カートンのロック機構を示す説明図である。
【図２９】（ａ）（ｂ）カートンのロック機構を示す説明図である。
【図３０】ブランクの別の例を示す図である。
【図３１】（ａ）（ｂ）カートン形成工程の一例を示す説明図である。
【図３２】（ａ）（ｂ）カートン形成工程の一例を示す説明図である。
【図３３】（ａ）（ｂ）カートンのロック機構を示す説明図である。
【図３４】ブランクの別の例を示す図である。
【図３５】（ａ）（ｂ）カートンのロック機構を示す説明図である。
【図３６】（ａ）（ｂ）カートンの別の例を示す図である。
【図３７】（ａ）（ｂ）カートンの一例を示す図である。
【図３８】（ａ）（ｂ）段部を示す説明図である。
【図３９】（ａ）（ｂ）カートンの一例を示す図である。
【図４０】（ａ）（ｂ）従来カートンのロック機構の一例を示す説明図である。
【図４１】（ａ）（ｂ）従来カートンのロック機構の一例を示す説明図である。
【図４２】（ａ）（ｂ）従来カートンのロック機構の一例を示す説明図である。
【符号の説明】
【００９３】
１  カートン
２  蓋部
３  収容部
６  切り込み
７  掛止面
７'  段部
８  切欠き部
８'  段部
９  切取線
２１  正面（正面パネル）
２２  左面
２３  右面
２５  天面
３１  正面
３２  左面
３３  右面
３４  背面
３５  底面
３６  貼合面
４０  ジッパ
Ｆ  フラップ
Ｈ  ヒンジ
Ｔ  係合片
Ｍ  係合溝
θ  段部の角度
【図１】
2010076820.tif 000003
【図２】
2010076820.tif 000004
【図３】
2010076820.tif 000005
【図４】
2010076820.tif 000006
【図５】
2010076820.tif 000007
【図６】
2010076820.tif 000008
【図７】
2010076820.tif 000009
【図８】
2010076820.tif 000010
【図９】
2010076820.tif 000011
【図１０】
2010076820.tif 000012
【図１１】
2010076820.tif 000013
【図１２】
2010076820.tif 000014
【図１３】
2010076820.tif 000015
【図１４】
2010076820.tif 000016
【図１５】
2010076820.tif 000017
【図１６】
2010076820.tif 000018
【図１７】
2010076820.tif 000019
【図１８】
2010076820.tif 000020
【図１９】
2010076820.tif 000021
【図２０】
2010076820.tif 000022
【図２１】
2010076820.tif 000023
【図２２】
2010076820.tif 000024
【図２３】
2010076820.tif 000025
【図２４】
2010076820.tif 000026
【図２５】
2010076820.tif 000027
【図２６】
2010076820.tif 000028
【図２７】
2010076820.tif 000029
【図２８】
2010076820.tif 000030
【図２９】
2010076820.tif 000031
【図３０】
2010076820.tif 000032
【図３１】
2010076820.tif 000033
【図３２】
2010076820.tif 000034
【図３３】
2010076820.tif 000035
【図３４】
2010076820.tif 000036
【図３５】
2010076820.tif 000037
【図３６】
2010076820.tif 000038
【図３７】
2010076820.tif 000039
【図３８】
2010076820.tif 000040
【図３９】
2010076820.tif 000041
【図４０】
2010076820.tif 000042
【図４１】
2010076820.tif 000043
【図４２】
2010076820.tif 000044